(57)【特許請求の範囲】
【請求項１】
固定接点と、該固定接点に接触する可動接点として機能する球面クリックバネとを有するプッシュスイッチであって、
前記クリックバネは、その中央部に上方に突出する突部を有し、前記突部の内側に下面を開放した空隙部を形成し、かつ、前記突部を前記クリックバネの板厚の略２分の１に形成することにより、前記突部が下方に押下されたとき、前記空隙部の下端縁と前記固定接点とが線接触するよう構成したことを特徴とするプッシュスイッチ。
【請求項２】
請求項１記載のプッシュスイッチにおいて、前記クリックバネの前記突部内側に形成した前記空隙部の下端縁が前記固定接点と線接触することにより、前記固定接点上に付着している塵芥等を裁断することを特徴とするプッシュスイッチ。
【請求項３】
請求項１記載のプッシュスイッチにおいて、前記クリックバネの前記突部内側に形成した前記空隙部を円筒状の穴とし、前記下端縁を円形状に構成したことを特徴とするプッシュスイッチ。
【請求項４】
請求項１記載のプッシュスイッチにおいて、前記クリックバネの前記突部内側に形成した前記空隙部を角筒状の穴とし、前記下端縁を角形状に構成したことを特徴とするプッシュスイッチ。
【請求項５】
請求項１記載のプッシュスイッチはさらに、前記固定接点の外側に設けられた第２の固定接点を有し、かつ、前記クリックバネは、その外縁部を前記第２の固定接点に接着させ、その中央部を、前記空隙部の下端縁と線接触する側の前記固定接点の上方に位置するよう配設されることを特徴とするプッシュスイッチ。
【請求項６】
請求項１記載のプッシュスイッチはさらに、前記クリックバネの上面に載置したプッシュボタンを有し、該プッシュボタンを押し下げたとき、前記クリックバネの前記突部が前記プッシュボタンに押圧されながら前記クリックバネを反転させ、前記空隙部の下端縁が前記固定接点と線接触することにより、前記固定接点上に付着している塵芥等を裁断することを特徴とするプッシュスイッチ。
【発明の詳細な説明】
【０００１】
【発明の属する技術分野】
本発明は、クリックバネを用いたプッシュスイッチに関するものであり、特に、可動接点と固定接点との接触の安定化を図ったクリックバネを用いたプッシュスイッチに関するものである。
【０００２】
【従来の技術】
従来、球面クリックバネを用いたプッシュスイッチは、音響機器や映像機器等、種々の電子機器の操作信号入力用に使用されている。
【０００３】
図４及び図５は、従来の球面クリックバネを用いた従来のプッシュスイッチの一例を示す。図に示すように、従来のプッシュスイッチ１において、樹脂基台２のボタンホルダ部３の内側底面部の中央と外側縁部近傍とに固定接点４と固定接点５が配設されている。さらに、ボタンホルダ部３内には球面クリックバネ６が挿入されており、球面クリックバネ６の外縁部が前記外側の固定接点５に接着され、中心部が前記中央の固定接点４の上方に位置するように配設されている。又、球面クリックバネ６の上面に載置したプッシュボタン７の小径トップ部７ａは、基台２の上面に固着したボタンカバー８の中心穴から上方へ突出している。
【０００４】
上述したプッシュスイッチ１において、プッシュボタン７を押し下げると、図５に示すように前記プッシュボタン７の底面中心部に設けられている凸部７ｂが、可動接点として機能する球面クリックバネ６を押下して反転させ、球面クリックバネ６の中心が前記中央の固定接点４に接触するので、前記中央の固定接点４と外側の固定接点５とが球面クリックバネ６を介して導通する。
【０００５】
上述したプッシュスイッチ１は、球面クリックバネ６が反転したとき、図５及び図６に示すように、球面クリックバネ６の中心点Ｃが前記中央の固定接点４に点接触することになり、固定接点５と固定接点４との間の電気的導通状態が得られる。しかしながら、プッシュスイッチ１内に残留する塵芥等が前記中央の固定接点４上に付着している場合は、充分な電気的導通が得られなくなり、電気容量や抵抗値等の電気的特性に問題が生じ、プッシュスイッチとしての信頼性が阻害されるという問題があった。
【発明の開示】
本発明は、上記課題を解決するべくなされたものであり、塵芥等の悪影響を回避し、スイッチ切り換え動作時の固定接点間の電気的導通を安定化させるクリックバネを具備するプッシュスイッチを提供することを目的とする。
【０００６】
上記の課題を解決するために、本発明のプッシュスイッチは、固定接点と、該固定接点に接触する可動接点として機能する球面クリックバネとを有するプッシュスイッチであって、前記クリックバネは、その中央部に上方に突出する突部を有し、前記突部の内側に下面を開放した空隙部を形成し、かつ、前記突部を前記クリックバネの板厚の略２分の１に形成することにより、前記突部が下方に押下されたとき、前記空隙部の下端縁と前記固定接点とが線接触するよう構成したことを特徴とする。
【０００７】
本発明のプッシュスイッチに用いられる球面クリックバネはその中央部位に、下面開放の空隙部を形成するための突部を上方へ突設しているため、プッシュボタンを押し下げたとき、前記球面クリックバネを押下して反転させ、前記球面クリックバネの中央部位を中央の固定接点に接触させて前記中央の固定接点と外側の固定接点とを電気的に導通させる。このとき、前記下面開放の空隙部の下端縁が前記中央の固定接点に円形又はその他の角形等を呈した状態で線接触するため、前記球面クリックバネの前記中央の固定接点に対する接触圧力が大となり、前記中央の固定接点上に付着している塵芥等を裁断して、固定接点間の電気的導通に対する塵芥等の悪影響を最少限に低減でき、プッシュスイッチの電気的導通の安定性を向上することができる。よって、プッシュスイッチの充分な信頼性を確保することができる。
【０００８】
【発明の実施の形態】
以下、本発明の実施の形態を図１乃至図３を参照しながら具体的に説明する。尚、説明の都合上、従来例と同一構成部分については同一の符号を付してその説明を省略するものとする。
【０００９】
図１乃至図３に示すように、本発明の一実施例に係るプッシュスイッチには、樹脂製基台２のボタンホルダ部３の内側底部の中央部と外側縁部近傍とに、固定接点４と固定接点５とが設けられている。固定接点４と固定接点５を電気的にオン・オフするための可動接点として機能する本発明の球面クリックバネ１０が前記ボタンホルダ部３内に挿着されている。
【００１０】
本実施例の球面クリックバネ１０は、適正な板厚を有する金属板にて形成されており、該金属板による弾性復元力を有するよう構成されている。この球面クリックバネ１０の中央部に板厚の略２分の１程度のハーフパンチを施すことにより、前記球面クリックバネ１０の中央部位内側面に下面開放の筒状の空隙部１１を形成するための突部１１ａが、球面クリックバネ１０の前記中央部位上方へ突設されている。又、前記球面クリックバネ１０はその外縁部が前記外側の固定接点５に接着され、その中央部が前記中央の固定接点４の上方に位置するよう配設されている。
【００１１】
尚、前記空隙部１１の形成方法は、前記ハーフパンチ方式に限定せられるものではなく、要は、球面クリックバネ１０の中央部位に下面開放の筒状の空隙部１１を形成するための突部１１ａが、前記球面クリックバネ１０の中央部位上方へ突設できる形成方法であれば、どんな形成方法であってもよい。又、前記空隙部１１の形状は、円筒状に限らず角筒状であってもよく、且つ、穴の深さも特に限定されるべきではない。
【００１２】
本実施例のプッシュスイッチにおいて、球面クリックバネ１０の上面に載置したプッシュボタン７の小径トップ部７ａが、基台２の上面に固着したボタンカバー８の中心穴から上方へ突出している。
【００１３】
本実施例のプッシュスイッチにおいては、図２及び図３に示すように、プッシュボタン７を押し下げると、プッシュボタン７の底面中央部に突設されている凸部７ｂが、前記球面クリックバネ１０の中央部位に設けた前記突部１１ａを押圧しながら前記球面クリックバネ１０を反転させる。同時に、前記球面クリックバネ１０の前記空隙部１１の下端縁１１ｂが円形又は角形等の状態で前記中央の固定接点４と接触するので、前記中央の固定接点４と外側の固定接点５とは、可動接点としての球面クリックバネ１０を介して電気的に導通する。
【００１４】
上述の実施例のプッシュスイッチにおいては、前記球面クリックバネ１０の中央部位に設けられた空隙部１１の下端縁１１ｂが円形又は角形等の状態で前記中央の固定接点４と線接触するので、前記球面クリックバネ１０の接触圧力が向上し、前記固定接点４上に付着している塵芥等を効果的に裁断することができ、固定接点間の電気的導通に対する塵芥等の悪影響を回避することが可能となる。従って、本実施例の球面クリックバネ１０を用いたプッシュスイッチは、スイッチ切り換え動作による固定接点４、５間の電気的導通の安定性を向上させる。又、多接点による電気的接触効率の向上にも寄与する。
【００１５】
上述したように、本発明のプッシュスイッチに用いられる球面クリックバネはその中央部位に、下面開放の筒状の穴を形成するための突部を上方へ突設しているため、プッシュボタンを押し下げたとき、前記球面クリックバネを押下して反転させ、前記球面クリックバネの中央部位を中央の固定接点に接触させて前記中央の固定接点と外側の固定接点とを電気的に導通させる。このとき、前記下面開放の穴の下端縁が前記中央の固定接点に円形又はその他の角形等を呈した状態で線接触するため、前記球面クリックバネの前記中央の固定接点に対する接触圧力が大となり、前記中央の固定接点上に付着している塵芥等を裁断して、固定接点間の電気的導通に対する塵芥等の悪影響を最少限に低減でき、プッシュスイッチの電気的導通の安定性を向上することができる。よって、プッシュスイッチの充分な信頼性を確保することができる。また、構造が極めて簡単で部品点数も増加することなく導通安定性に優れたプッシュスイッチを提供でき、コストの削減と電流容量や低抗値等の電気的特性の向上にも寄与することができる。
【００１６】
尚、本発明は、本発明の趣旨を逸脱しない限り種々の改変を為すことができ、そして、本発明が前記改変されたものにも及ぶことは当然である。
【図面の簡単な説明】
【図１】本発明のクリックバネを用いたプッシュスイッチを示す縦断面図である。
【図２】図１に示したクリックバネを押下反転させた状態のプッシュスイッチを示す縦断面図である。
【図３】図２に示した状態のプッシュスイッチにおけるクリックバネの電気的導通状態を説明するための説明図である。
【図４】従来の球面クリックバネを用いた従来のプッシュスイッチを示す縦断面図である。
【図５】図４に示した球面クリックバネを押下反転させた状態のプッシュスイッチの縦断面図である。
【図６】図５に示した状態のプッシュスイッチにおけるクリックバネの電気的導通状態を説明するための説明図である。
【図１】
0004720064.tif 000002
【図２】
0004720064.tif 000003
【図３】
0004720064.tif 000004
【図４】
0004720064.tif 000005
【図５】
0004720064.tif 000006
【図６】
0004720064.tif 000007